【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
時間依存性医療製品の在庫を管理するための方法において、
医療製品のためのパッケージングを用意するステップと、
前記医療製品の有効期限日を設定するステップと、
前記パッケージング上またはその内部、または前記医療製品上またはその内部に見えるように前記医療製品の前記有効期限日を表示するステップと、
前記有効期限日の前に前記医療製品の来る期限切れを警告するために警告期間を設定するステップと、
前記医療製品の有効期限日を設定した後に、前記パッケージングまたは前記医療製品における経過時間を監視するステップと、
前記警告期間が始まると、前記医療製品の来る期限切れの警告表示を前記パッケージング上またはその内部、または前記医療製品上またはその内部に表示するステップと、
を含む、方法。
【請求項２】
請求項１に記載の方法において、
前記設定された警告期間に達すると、前記医療製品の有効期限日の前および／または前記医療製品の有効期限日に前記パッケージングまたは前記医療製品から可聴信号を出すステップを更に含む、方法。
【請求項３】
請求項２に記載の方法において、
前記パッケージングまたは前記医療製品と共にラベルを用いて前記医療製品の在庫を管理するステップを更に含む、方法。
【請求項４】
請求項３に記載の方法において、
前記ラベルを用いて前記有効期限日および前記警告期間を設定するステップを更に含む、方法。
【請求項５】
請求項４に記載の方法において、
前記ラベルを用いて前記有効期限日および前記警告表示を表示するステップを更に含む、方法。
【請求項６】
請求項５に記載の方法において、
前記ラベルを用いて前記有効期限日を設定した後に経過時間を監視するステップを更に含む、方法。
【請求項７】
請求項６に記載の方法において、
前記ラベルを用いて、前記設定された警告期限に達すると、前記医療製品の有効期限日の前および／または前記医療製品の有効期限日に前記可聴信号を出すステップを更に含む、方法。
【請求項８】
請求項６に記載の方法において、
前記ラベル上の不可逆変換領域を用いて前記警告表示を表示するステップを更に含む、方法。
【請求項９】
請求項８に記載の方法において、
前記不可逆変換領域に前記警告表示を個々の部分として表示するステップを更に含み、前記警告表示の前記各部分が、前記警告期間のそれぞれの日に表示される、方法。
【請求項１０】
請求項９に記載の方法において、
前記不可逆変換領域の各サブ領域に警告表示を個々の部分として表示するステップを更に含む、方法。
【請求項１１】
請求項１０に記載の方法において、
前記警告表示として語「ＥＸＰＩＲＥＤ」またはその変形を用いるステップを更に含む、方法。
【請求項１２】
請求項１１に記載の方法において、
前記警告期間のそれぞれの日に、前記不可逆変換領域の対応するサブ領域に前記警告表示の各文字を表示するステップを更に含む、方法。
【請求項１３】
請求項１２に記載の方法において、
前記時間依存性医療製品として薬物を用いるステップを更に含む、方法。
【請求項１４】
請求項１２に記載の方法において、
前記時間依存性医療製品として装置を用いるステップを更に含む、方法。
【請求項１５】
請求項１２に記載の方法において、
前記時間依存性医療製品として薬物溶出ステントを用いるステップを更に含む、方法。
【請求項１６】
請求項１５に記載の方法において、
前記時間依存性医療製品として前記薬物溶出ステントと共にステント・デリバリーシステムを用いるステップを更に含む、方法。
【請求項１７】
時間依存性医療製品の在庫を管理するための方法において、
医療製品を用意するステップと、
前記医療製品を受容するパッケージングを用意するステップと、
前記パッケージングまたは前記医療製品に少なくとも１つのラベルを設けるステップであって、前記少なくとも１つのラベルが、
（ｉ）永久表示を有する少なくとも１つの永久領域と、
（ｉｉ）時間依存性表示を有する少なくとも１つの変換領域であって、前記時間依存性表示が、第１の状態では検出できないが第２の状態では検出できる、前記少なくとも１つの変換領域と、
（ｉｉｉ）前記少なくとも１つの永久領域および前記少なくとも１つの変換領域の少なくとも１つに機能的に接続されたマイクロコントローラであって、経過時間を監視して、前記少なくとも１つの変換領域を前記第１の状態から前記第２の状態に変換させ、これにより前記第２の状態における前記時間依存性表示が見えるようにする、前記マイクロコントローラと、
（ｉｖ）前記マイクロコントローラに機能的に接続され、前記医療製品の有効期限日を設定して前記マイクロコントローラにその有効期限日を保存する電源と、を含む、少なくとも１つのラベルを設けるステップと、
前記ラベルに見えるように前記医療製品の有効期限日を表示するステップと、
前記有効期限日の前に前記医療製品の来る期限切れを警告するためにマイクロコントローラで警告期間を設定するステップと、
前記医療製品の有効期限日を設定した後に、前記マイクロコントローラで経過時間を監視するステップと、
前記警告期間が始まると、前記医療製品の来る期限切れの警告表示を前記ラベルに表示するステップと、を含む、方法。
【請求項１８】
請求項１７に記載の方法において、
前記設定された警告期限に達すると、前記医療製品の有効期限日の前および／または前記医療製品の有効期限日に前記ラベルから可聴信号を出すステップを更に含む、方法。
【請求項１９】
請求項１８に記載の方法において、
前記ラベルの不可逆変換領域を用いて前記警告表示を表示するステップを更に含む、方法。
【請求項２０】
請求項１９に記載の方法において、
前記不可逆変換領域に前記警告表示を個々の部分として表示するステップを更に含み、前記警告表示の前記各部分が、前記警告期間のそれぞれの日に表示される、方法。
【請求項２１】
請求項２０に記載の方法において、
前記不可逆変換領域の各サブ領域に警告表示を個々の部分として表示するステップを更に含む、方法。
【請求項２２】
請求項２１に記載の方法において、
前記警告表示として語「ＥＸＰＩＲＥＤ」またはその変形を用いるステップを更に含む、方法。
【請求項２３】
請求項２２に記載の方法において、
前記警告期間のそれぞれの日に、前記不可逆変換領域の対応するサブ領域に前記警告表示の各文字を表示するステップを更に含む、方法。
【請求項２４】
請求項２３に記載の方法において、
前記時間依存性医療製品として薬物を用いるステップを更に含む、方法。
【請求項２５】
請求項２３に記載の方法において、
前記時間依存性医療製品として装置を用いるステップを更に含む、方法。
【請求項２６】
請求項２３に記載の方法において、
前記時間依存性医療製品として薬物溶出ステントを用いるステップを更に含む、方法。
【請求項２７】
請求項２６に記載の方法において、
前記時間依存性医療製品として前記薬物溶出ステントと共にステント・デリバリーシステムを用いるステップを更に含む、方法。
【手続補正２】
【補正対象書類名】明細書
【補正対象項目名】００８４
【補正方法】変更
【補正の内容】
【００８４】
（１６）実施態様（１５）に記載の方法において、
前記時間依存性医療製品として前記薬物溶出ステントと共にステント・デリバリーシステムを用いるステップを更に含む、方法。
（１７）時間依存性医療製品の在庫を管理するための方法において、
医療製品を用意するステップと、
前記医療製品を受容するパッケージングを用意するステップと、
前記パッケージングまたは前記医療製品に少なくとも１つのラベルを設けるステップであって、前記少なくとも１つのラベルが、
（ｉ）永久表示を有する少なくとも１つの永久領域と、
（ｉｉ）時間依存性表示を有する少なくとも１つの変換領域であって、前記時間依存性表示が、第１の状態では検出できないが第２の状態では検出できる、前記少なくとも１つの変換領域と、
（ｉｉｉ）前記少なくとも１つの永久領域および前記少なくとも１つの変換領域の少なくとも１つに機能的に接続されたマイクロコントローラであって、経過時間を監視して、前記少なくとも１つの変換領域を前記第１の状態から前記第２の状態に変換させ、これにより前記第２の状態における前記時間依存性表示が見えるようにする、前記マイクロコントローラと、
（ｉｖ）前記マイクロコントローラに機能的に接続され、前記医療製品の有効期限日を設定して前記マイクロコントローラにその有効期限日を保存する電源と、を含む、少なくとも１つのラベルを設けるステップと、
前記ラベルに見えるように前記医療製品の有効期限日を表示するステップと、
前記有効期限日の前に前記医療製品の来る期限切れを警告するためにマイクロコントローラで警告期間を設定するステップと、
前記医療製品の有効期限日を設定した後に、前記マイクロコントローラで経過時間を監視するステップと、
前記警告期間が始まると、前記医療製品の来る期限切れの警告表示を前記ラベルに表示するステップと、を含む、方法。
（１８）実施態様（１７）に記載の方法において、
前記設定された警告期限に達すると、前記医療製品の有効期限日の前および／または前記医療製品の有効期限日に前記ラベルから音声信号を出すステップを更に含む、方法。
（１９）実施態様（１８）に記載の方法において、
前記ラベルの不可逆変換領域を用いて前記警告表示を表示するステップを更に含む、方法。
（２０）実施態様（１９）に記載の方法において、
前記不可逆変換領域に前記警告表示を個々の部分として表示するステップを更に含み、前記警告表示の前記各部分が、前記警告期間のそれぞれの日に表示される、方法。
（２１）実施態様（２０）に記載の方法において、
前記不可逆変換領域の各サブ領域に警告表示を個々の部分として表示するステップを更に含む、方法。